(57)【要約】  点光源からの光を利用して光学部材を観察する際に、所望の色で再生光像を視認できるようにする。光変調素子１は、原画像を再生するための再生基準像に応じて、特定波長の光を反射または吸収して少なくとも可視光帯域の光のうち特定波長以外の光を透過させる光制御部１ａと、特定波長を含む少なくとも可視光帯域の光を透過させる光透過部１ｂと、を有する光学部材２を備える。
2018097238.tif 000002
【特許請求の範囲】
【請求項１】
原画像を再生するための再生基準像に応じて特定波長の光を反射または吸収するとともに、少なくとも可視光帯域の光のうち前記特定波長以外の光を透過させる光制御部と、前記特定波長を含む少なくとも可視光帯域の光を透過させる光透過部と、を有する光学部材を備える、光変調素子。
【請求項２】
前記再生基準像は、原画像のフーリエ変換像である、請求項１に記載の光変調素子。
【請求項３】
前記光学部材は、ホログラム記録層を有し、
前記光制御部は、前記ホログラム記録層内の干渉縞である、請求項１または２に記載の光変調素子。
【請求項４】
前記光学部材は、点光源から、前記特定波長を含む所定波長帯域の光を前記ホログラム記録層内の前記干渉縞を一部に含む所定領域に入射した状態で、前記光学部材の法線方向から前記所定領域を通して前記点光源を観察すると、前記特定波長の色の再生光像が視認され、前記法線方向から傾斜した方向から前記所定領域を通して前記点光源を観察すると、前記特定波長よりも短波長の色の再生光像が視認される、請求項３に記載の光変調素子。
【請求項５】
前記光学部材は、点光源から、前記特定波長を含む所定波長帯域の光を前記ホログラム記録層内の前記干渉縞を一部に含む所定領域に入射した状態で、前記光学部材の法線方向から傾斜した方向から前記所定領域を通して前記点光源を観察すると、前記特定波長の色の再生光像が視認され、前記傾斜した方向よりも前記法線方向に近い方向から前記所定領域を通して前記点光源を観察すると、前記特定波長よりも長波長の色の再生光像が視認される、請求項３に記載の光変調素子。
【請求項６】
前記光学部材は、
基材層と、
前記基材層の上に積層される誘電体多層膜と、を有し、
前記光制御部は、前記誘電体多層膜である、請求項１または２に記載の光変調素子。
【請求項７】
前記光学部材は、点光源から、前記特定波長を含む所定波長帯域の光を前記誘電体多層膜を一部に含む所定領域に入射した状態で、前記光学部材の法線方向から前記所定領域を通して前記点光源を観察すると、前記特定波長の色の再生光像が視認され、前記法線方向から傾斜した方向から前記所定領域を通して前記点光源を観察すると、前記特定波長よりも短波長の色の再生光像が視認される、請求項６に記載の光変調素子。
【請求項８】
前記光学部材は、点光源から、前記特定波長を含む所定波長帯域の光を前記誘電体多層膜を一部に含む所定領域に入射した状態で、前記光学部材の法線方向から傾斜した方向から前記所定領域を通して前記点光源を観察すると、前記特定波長の色の再生光像が視認され、前記傾斜した方向よりも前記法線方向に近い方向から前記所定領域を通して前記点光源を観察すると、前記特定波長よりも長波長の色の再生光像が視認される、請求項６に記載の光変調素子。
【請求項９】
前記光学部材は、
基材層と、
前記基材層の上に積層される特定波長吸収層と、を有し、
前記光制御部は、前記特定波長吸収層である、請求項１または２に記載の光変調素子。
【請求項１０】
前記光学部材は、点光源から前記特定波長を含む所定波長帯域の光を前記特定波長吸収層を一部に含む所定領域に入射させた状態で、前記所定領域を通して前記点光源を観察すると、前記特定波長の色の再生光像が視認される、請求項９に記載の光変調素子。
【請求項１１】
点光源から、前記光学部材の法線方向に沿って、前記特定波長を含む所定波長帯域の光が前記光学部材に入射された場合における前記特定波長の分光透過率の半値幅は、１００ｎｍ以下である、請求項１乃至１０のいずれか１項に記載の光変調素子。
【請求項１２】
前記特定波長は、互いに異なる２つの波長を含んでおり、
前記光制御部は、前記２つの波長の光をそれぞれ反射または吸収し、
前記光透過部は、前記２つの波長の光を透過させる、請求項１に記載の光変調素子。
【請求項１３】
前記光学部材は、ホログラム記録層を有し、
前記光制御部は、前記ホログラム記録層内の干渉縞であり、
前記光学部材は、点光源から、前記２つの波長を含む所定波長帯域の光を前記ホログラム記録層内の前記干渉縞を一部に含む所定領域に入射した状態で、前記光学部材の法線方向から前記所定領域を通して前記点光源を観察すると、互いに異なる２色の再生光像が視認される、請求項１２に記載の光変調素子。
【請求項１４】
前記特定波長は、それぞれ異なる３つ以上の波長を含んでおり、
前記光制御部は、前記３つ以上の波長の光をそれぞれ反射または吸収し、
前記光透過部は、前記３つ以上の波長の光を透過させる、請求項１に記載の光変調素子。
【請求項１５】
前記光学部材は、ホログラム記録層を有し、
前記光制御部は、前記ホログラム記録層内の干渉縞であり、
前記光学部材は、点光源から、前記３つ以上の波長を含む所定波長帯域の光を前記ホログラム記録層内の前記干渉縞を一部に含む所定領域に入射した状態で、前記光学部材の法線方向から前記所定領域を通して前記点光源を観察すると、白色の再生光像が視認される、請求項１４に記載の光変調素子。
【請求項１６】
前記光学部材は、ホログラム記録層を有し、
前記光制御部は、前記ホログラム記録層内の干渉縞であり、
前記光学部材は、点光源から、前記３つ以上の波長を含む所定波長帯域の光を前記ホログラム記録層内の前記干渉縞を一部に含む所定領域に入射した状態で、前記光学部材の法線方向から前記所定領域を通して前記点光源を観察すると、前記３つ以上の色で色分けされた再生光像が視認される、請求項１４に記載の光変調素子。
【請求項１７】
前記光学部材に入射される第１再生照明光とは異なる第２再生照明光を入射させたときにリップマンホログラム再生像に変換される第１干渉縞を備える、請求項１に記載の光変調素子。
【請求項１８】
前記光学部材に入射される第１再生照明光とは異なる第２再生照明光を入射させたときに、前記第１再生照明光にて前記光学部材で再生される再生光像の色とは異なる色のリップマンホログラム再生像に変換される第１干渉縞を備える、請求項１に記載の光変調素子。
【請求項１９】
前記光学部材は、前記第１干渉縞と、前記光制御部として機能する第２干渉縞と、を有するホログラム記録層を有する、請求項１７または１８に記載の光変調素子。
【請求項２０】
請求項１乃至１９のいずれか１項の光変調素子を備える情報記録媒体。
【請求項２１】
前記原画像は、文字、記号、絵柄などの情報を含む、請求項２０に記載の情報記録媒体。
【請求項２２】
所定サイズの開口部を有する基材を備え、
前記光変調素子の少なくとも一部は、前記開口部に配置される、請求項２０または２１に記載の情報記録媒体。
【発明の詳細な説明】
【技術分野】
【０００１】
本開示は、光変調素子と、それを利用した情報記録媒体に関する。
【背景技術】
【０００２】
点光源からの光をフーリエ変換ホログラムに照射して、光像を生成する技術が提案されている（特開２００４−１２６５３５号公報、特開２０１６−８５３５５号公報、特開平１０−１５３９４３号公報参照）。点光源を照射すると、点光源の照射位置の周囲に光像が浮かび上がって視認されるため、例えばセキュリティ情報を光像として浮かび上がらせることにより、真贋判定などに利用できる。
【発明の開示】
【０００３】
特開平１０−１５３９４３号公報には、原画像のフーリエ変換像を計算機を用いて生成して二値化し、二値化されたフーリエ変換像を透明と黒のパターンとしてフィルム上に複数個配列して作製した光変調素子であるフーリエ変換ホログラムが開示されている。光像を再生するには、フィルムの後方に点光源を配置し、フィルムを通して点光源を観察する。すると、フィルム内のフーリエ変換像に対応して、点光源の周囲に点対称である画像を視認することができる。
【０００４】
ところが、再生時に、複数の波長成分を含む白色光をフーリエ変換ホログラムに照射すると、再生光像が波長分散された虹色で観察されるという問題があった。特に、再生光像のサイズが小さい場合には、波長分散された虹色で観察されると、再生光像の視認性が低下してしまう。したがって、再生光像が文字や記号を表している場合、波長分散によって文字や記号を正しく識別できないおそれがある。
【０００５】
本開示は、上述した課題を解決するためのものであり、その目的は、点光源からの光を利用して光学部材を観察したときに、所望の色で再生光像を視認可能な光変調素子および情報記録媒体を提供することである。
【０００６】
上記の課題を解決するために、本開示による一態様では、原画像を再生するための再生基準像に応じて、特定波長の光を反射または吸収して少なくとも可視光帯域の光のうち前記特定波長以外の光を透過させる光制御部と、前記特定波長を含む少なくとも可視光帯域の光を透過させる光透過部と、を有する光学部材を備える、光変調素子が提供される。
【０００７】
再生基準像は、原画像のフーリエ変換像であってもよい。
【０００８】
前記光学部材は、ホログラム記録層を有し、
前記光制御部は、前記ホログラム記録層内の干渉縞であってもよい。
【０００９】
前記光学部材は、点光源から、前記特定波長を含む所定波長帯域の光を前記ホログラム記録層内の前記干渉縞を一部に含む所定領域に入射した状態で、前記光学部材の法線方向から前記所定領域を通して前記点光源を観察すると、前記特定波長の色の再生光像が視認され、前記法線方向から傾斜した方向から前記所定領域を通して前記点光源を観察すると、前記特定波長よりも短波長の色の再生光像が視認されてもよい。
【００１０】
前記光学部材は、点光源から、前記特定波長を含む所定波長帯域の光を前記ホログラム記録層内の前記干渉縞を一部に含む所定領域に入射した状態で、前記光学部材の法線方向から傾斜した方向から前記所定領域を通して前記点光源を観察すると、前記特定波長の色の再生光像が視認され、前記傾斜した方向よりも前記法線方向に近い方向から前記所定領域を通して前記点光源を観察すると、前記特定波長よりも長波長の色の再生光像が視認されてもよい。
【００１１】
前記光学部材は、
基材層と、
前記基材層の上に積層される誘電体多層膜と、を有し、
前記光制御部は、前記誘電体多層膜であってもよい。
【００１２】
前記光学部材は、点光源から、前記特定波長を含む所定波長帯域の光を前記誘電体多層膜を一部に含む所定領域に入射した状態で、前記光学部材の法線方向から前記所定領域を通して前記点光源を観察すると、前記特定波長の色の再生光像が視認され、前記法線方向から傾斜した方向から前記所定領域を通して前記点光源を観察すると、前記特定波長よりも短波長の色の再生光像が視認されてもよい。
【００１３】
前記光学部材は、点光源から、前記特定波長を含む所定波長帯域の光を前記誘電体多層膜を一部に含む所定領域に入射した状態で、前記光学部材の法線方向から傾斜した方向から前記所定領域を通して前記点光源を観察すると、前記特定波長の色の再生光像が視認され、前記傾斜した方向よりも前記法線方向に近い方向から前記所定領域を通して前記点光源を観察すると、前記特定波長よりも長波長の色の再生光像が視認されてもよい。
【００１４】
前記光学部材は、
基材層と、
前記基材層の上に積層される特定波長吸収層と、を有し、
前記光制御部は、前記特定波長吸収層であってもよい。
【００１５】
前記光学部材は、点光源から前記特定波長を含む所定波長帯域の光を前記特定波長吸収層を一部に含む所定領域に入射させた状態で、前記所定領域を通して前記点光源を観察すると、前記特定波長の色の再生光像が視認されてもよい。
【００１６】
点光源から、前記光学部材の法線方向に沿って、前記特定波長を含む所定波長帯域の光が前記光学部材に入射された場合における前記特定波長の分光透過率の半値幅は、１００ｎｍ以下であってもよい。
【００１７】
上述した光変調素子を備える情報記録媒体が提供されてもよい。
【００１８】
前記原画像は、文字、記号、絵柄などの情報を含んでいてもよい。
【００１９】
所定サイズの開口部を有する基材を備え、
前記光変調素子の少なくとも一部は、前記開口部に配置されてもよい。
【００２０】
本開示によれば、点光源からの光を利用して光学部材を観察したときに、所望の色で再生光像を視認できる。
【図面の簡単な説明】
【００２１】
【図１】本開示の一実施形態による光変調素子１の模式的な断面図。
【図２】光変調素子１の作製方法の手順の一例を示すフローチャート。
【図３Ａ】図１の光変調素子の作製方法の第１例を説明する工程図。
【図３Ｂ】図３Ａに続く工程図。
【図３Ｃ】図３Ｂに続く工程図。
【図４】フーリエ変換像の一例を示す図。
【図５Ａ】図１の光変調素子の作製方法の第２例を説明する工程図。
【図５Ｂ】図５Ａに続く工程図。
【図５Ｃ】図５Ｂに続く工程図。
【図６Ａ】ホログラム記録層の再生光像を法線方向から観察する方法を示す図。
【図６Ｂ】図６Ａの再生光像の一例を示す図。
【図７Ａ】ホログラム記録層の再生光像を法線方向に対して傾斜した方向から観察する方法を示す図。
【図７Ｂ】図７Ａの再生光像の一例を示す図。
【図８】ホログラム記録層内の干渉縞の他の作製例を示す図。
【図９Ａ】図８のホログラム記録層による再生光像を観察する例を示す図。
【図９Ｂ】図９Ａの再生光像の一例を示す図。
【図１０Ａ】図８のホログラム記録層を法線方向から観察する例を示す図。
【図１０Ｂ】図１０Ａの再生光像の一例を示す図。
【図１１Ａ】観察者と同じ面側に点光源を配置して法線方向に観察する例を示す図。
【図１１Ｂ】観察者と同じ面側に点光源を配置して斜め方向に観察する例を示す図。
【図１２】レーザポインタを配置して再生光像を観察する例を示す図。
【図１３】分光透過率の半値幅を示すグラフ。
【図１４】互いに異なる２つの色を含む再生光像の一例を示す図。
【図１５Ａ】波長の異なる３つ以上のレーザ光による再生光像の第１例を示す図。
【図１５Ｂ】波長の異なる３つ以上のレーザ光による再生光像の第２例を示す図。
【図１６Ａ】再生基準像に応じた再生光像を再生する手法を説明する図。
【図１６Ｂ】リップマンホログラム再生像を再生する手法を説明する図。
【図１７】情報記録媒体の一例を示す図。
【図１８Ａ】図１７の情報記録媒体のＡ−Ａ線断面構造の第１例を示す図。
【図１８Ｂ】図１７の情報記録媒体のＡ−Ａ線断面構造の第２例を示す図。
【図１８Ｃ】図１７の情報記録媒体のＡ−Ａ線断面構造の第３例を示す図。
【図１８Ｄ】図１７の情報記録媒体のＡ−Ａ線断面構造の第４例を示す図。
【図１９】情報記録媒体の他の一例を示す図。
【図２０Ａ】図１９のＡ−Ａ線断面構造の第１例を示す図。
【図２０Ｂ】図１９のＡ−Ａ線断面構造の第２例を示す図。
【発明を実施するための形態】
【００２２】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。
【００２３】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２４】
図１は本開示の一実施形態による光変調素子１の模式的な断面図である。図１の光変調素子１は、光制御部１ａと光透過部１ｂとを有する光学部材２を備えている。光制御部１ａは、原画像を再生するための再生基準像に応じて、特定波長の光を反射または吸収するとともに、少なくとも可視光帯域のうち特定波長以外の光を透過させる。再生基準像とは、原画像に応じた光の強度分布や位相分布を有する像であり、例えば原画像のフーリエ変換像である。光透過部１ｂは、特定波長を含む少なくとも可視光帯域の光を透過させる。
可視光帯域とは、例えば３６０〜８３０ｎｍの波長範囲である。特定波長とは、可視光帯域内の一部の波長帯域である。本開示の特定波長の波長帯域とは、光制御部１ａにおける分光透過率の半値幅の両端の波長範囲である。分光透過率の半値幅は、後述するように、透過率が最小となる波長において、光制御部１ａが形成されていないときに想定される光学部材２の透過率（％）をｂ、透過率が最小となる波長における光学部材２の透過率（％）をａとしたときに、透過率が（ｂ＋ａ）／２となる、透過率が最小となる波長に最も近い前後の波長の差として定義される。具体的な一例としては、特定波長は、４９５〜５７０ｎｍの緑色の波長帯域であってもよい。さらに好ましくは、５０７〜５５７ｎｍの緑色の波長帯域であってもよい。波長帯域が狭いほど、再生光像の単色性が高まり、色分散による再生光像のぼけが減り、鮮明な再生光像を観察可能となるのに加え、透過する波長範囲が増えることにより、光学変調素子１を通して見た、再生光像の周囲の景色の色合いの変化が少なくなるためである。
【００２５】
光学部材２は、光制御部１ａと光透過部１ｂを有するホログラム記録層４であってもよい。ホログラム記録層４における光制御部１ａは、ホログラム記録層４内の干渉縞５であってもよい。光学部材２は、可視光帯域における透過率が高いほど望ましい。具体的には、透過率は６０％以上が望ましく、とりわけ７０％以上が望ましい。光学部材２の透過率が高いほど、光学部材２による光像の視認性がよくなる。ここで、透過率とは、ＪＩＳ  Ｋ７３６１−１により測定した値である。
【００２６】
また、光学部材２は、ヘイズ値が低いほど望ましい。具体的には、ヘイズ値が０．０１％〜５％の範囲内の値が望ましく、とりわけ０．０１％〜１．５％の範囲内の値が望ましい。光学部材２のヘイズ値が小さいほど、光学部材２による光像の視認性がよくなる。ここで、ヘイズ値とは、ＪＩＳ  Ｋ７１３６に準拠して測定した値である。
【００２７】
ホログラム記録層４は、例えば、体積ホログラム記録材料に干渉縞５を記録したものである。この場合、干渉縞５が光制御部１ａに相当する。ホログラム記録層４は、干渉縞５が形成された領域と、干渉縞５が形成されていない領域とを含んでおり、干渉縞５が形成されていない領域が光透過部１ｂに相当する。ホログラム記録層４を透過する特定波長の幅を表す分光透過率の半値幅は、色の識別性能を向上させ、鮮明な再生光像を得るためには１００ｎｍ以下が望ましい。さらに好ましくは、半値幅は５０ｎｍ以下が望ましい。
【００２８】
体積ホログラム記録材料としては、上述した透過率とヘイズ値の許容範囲内の値を有するものであれば、特に限定されない。例えば、銀塩材料、重クロム酸ゼラチン乳剤、光重合成樹脂、光架橋性樹脂、カチオン重合性化合物、ラジカル重合性化合物、光ラジカル重合開始剤系および光カチオン重合開始剤系を含有する感光材料などが用いられる。
【００２９】
ホログラム記録層４の内部の干渉縞５は、体積ホログラム記録材料に第１方向から特定波長の光を入射させることで形成される。第１方向は、光学部材２の法線方向であってもよい。この場合、光学部材２は、点光源から、特定波長を含む所定波長帯域の光を光学部材２の法線方向に沿って、ホログラム記録層４内の干渉縞５を一部に含む所定領域に入射した状態で、光学部材２の法線方向から所定領域を通して点光源を観察すると、特定波長の色の再生光像が視認される。また、光学部材２は、法線方向から傾斜した方向から所定領域を通して点光源を観察すると、特定波長よりも短波長の色の再生光像が視認される。
【００３０】
ここで、所定領域とは、ホログラム記録層４内のフーリエ変換像に応じた光制御部１ａと光透過部１ｂとを含む領域であり、再生光像を視認可能な領域である。光制御部１ａだけや光透過部１ｂだけでは、再生光像を視認することはできない。
【００３１】
上述した第１方向は、光学部材２の法線方向から傾斜した方向であってもよい。この場合、光学部材２は、点光源から、特定波長を含む所定波長帯域の光をホログラム記録層４内の干渉縞を一部に含む所定領域に入射した状態で、光学部材２の法線方向から傾斜した方向から所定領域を通して点光源を観察すると、特定波長の色の再生光像が視認される。
また、光学部材２は、傾斜した方向よりも法線方向に近い方向から所定領域を通して点光源を観察すると、特定波長よりも長波長の色の再生光像が視認される。
【００３２】
図１の光変調素子１の作製方法として、複数の作製方法が考えられる。以下では、代表的な２つの作製方法を順に説明する。
【００３３】
図２は光変調素子１の作製方法の手順の一例を示すフローチャート、図３Ａ〜図３Ｃは図２の手順に対応する工程図である。まず、フーリエ変換像を生成する。フーリエ変換像は、計算機を用いて原画像に対してフーリエ変換等の処理を行うことで生成される。具体的には、まず、パーソナルコンピュータ（以下、ＰＣ）上で原画像を生成する（ステップＳ１）。原画像は、任意の文字、記号、絵柄などである。
【００３４】
次に、原画像のフーリエ変換像をＰＣ等の計算機を用いて生成する（ステップＳ２）。
次に、フーリエ変換像を二値化する（ステップＳ３）。すなわち、フーリエ変換像の１画素ごとにその位相を調べ、位相がマイナス９０度からプラス９０度の場合、ある値Ｔｐ、例えば透明を割り当て、それ以外の場合、別のある値Ｔｍ、例えば黒や鏡面を割り当てることにより、二値化を行う。Ｔｐを割当てる範囲をマイナス９０度からプラス９０度以外に設定してもよい。
【００３５】
図４はフーリエ変換像１０の一例を示している。図４のフーリエ変換像１０は、黒と白の２値データであるが、２値より多い多値データで構成してもよい。フーリエ変換像１０に基づいて再生される光像は、所定の中心位置に対して点対称な光像になる。次に、ステップＳ３で得られた二値化されたフーリエ変換像を所望の範囲に配列する（ステップＳ４）。例えば、二値化されたフーリエ変換像を４つ並べたフーリエ変換像を生成する。なお、実際には最小単位の画像を例えば縦、横に２０個ずつ配列するなどして、フーリエ変換像を生成する。以降の説明では、フーリエ変換像１０とは、図４などの最小単位の画像を所望の範囲に配列した画像を含むものとする。
【００３６】
次に、ガラス基板上に光吸収層または反射層を形成して、この光吸収層または反射層をフーリエ変換像１０に応じてパターニングしたフォトマスク基板７を作製する（ステップＳ５）。例えば、図４のフーリエ変換像１０の白部分はエッチングにより光吸収層または反射層を除去し、黒部分はそのまま光吸収層または反射層を残すことで、フーリエ変換像１０が記録されたフォトマスク基板７を作製する。フォトマスク基板７を作製する代わりに、レーザ記録を用いた印刷用製版フィルムの製造方法にて、フィルム基材上に光吸収層をフーリエ変換像１０に応じてパターニングしてもよい。以下では、フォトマスク基板７を用いる例を説明する。
【００３７】
次に、図３Ａおよび図３Ｂに示すように、体積ホログラム記録材料８にフォトマスク基板７を重ね合わせた状態で、両面側から特定波長の光を照射する（ステップＳ６）。照射光としては、位相および波長が揃っているコヒーレント光Ｌ１が用いられる。照射光のうち、フォトマスク基板７内の光吸収層６に入射された光は吸収されて、体積ホログラム記録材料８には入射されない。フォトマスク基板７内の光吸収層６のない箇所を通過する光は、そのままフォトマスク基板７を突き抜けて、体積ホログラム記録材料８に入射される。図３Ｂに示すように、体積ホログラム記録材料８内の光吸収層６と重ならない箇所では、両面側からの光が干渉して、干渉縞５が形成される（ステップＳ７）。この干渉縞５は、フォトマスク基板７内の光吸収層６と重なり合わない箇所に形成される。光吸収層６の形成箇所が光透過部１ｂに相当する。体積ホログラム記録材料８内の面方向に隣接する干渉縞５の間には光透過部１ｂが配置されることになる。次に、図３Ｃに示すように、フォトマスク基板７を除去することで、光変調素子１が得られる（ステップＳ８）。
【００３８】
図５Ａ〜図５Ｃは図１の光変調素子１の作製方法の他の一例を説明する工程図である。
まず、図５Ａに示すように、図３と異なり、体積ホログラム記録材料８の下方にフォトマスク基板７を配置して、体積ホログラム記録材料８の上方から特定波長の光を入射させる。第２例では、体積ホログラム記録材料８の下方から光を入射する必要はない。図５においても、フォトマスク基板を用いる例を説明する。
【００３９】
図５Ａ〜図５Ｃの例において、体積ホログラム記録材料８に入射された特定波長の光（入射光）は、フォトマスク基板７内の光反射層１６に入射されると、反射して上方に進行する。この反射光と入射光が互いに干渉して、図５Ｂに示すように体積ホログラム記録材料８内に干渉縞５が形成される。一方、体積ホログラム記録材料８内の光反射層１６のない箇所に入射された光は、他の光と干渉することなく、体積ホログラム記録材料８とフォトマスク基板７を通過するため、干渉縞を形成しない。よって、体積ホログラム記録材料８内の干渉縞５は、フォトマスク基板７内の光反射層１６と重なる箇所に形成される。その後、フォトマスク基板７を除去することで、図５Ｃに示すような光変調素子１が得られる。
【００４０】
図３Ａ〜図３Ｃと図５Ａ〜図５Ｃのいずれの作製方法においても、フーリエ変換像１０に応じた干渉縞５が体積ホログラム記録材料８内に形成される。この干渉縞５は、特定波長の光を反射するとともに、特定波長以外の光を透過させるものであり、光制御部１ａに相当する。この光制御部１ａと、干渉縞５のない領域の光透過部１ｂとによって、特定波長の光は光制御部１ａは透過せず光透過部１ｂは透過するため再生光像を形成し、特定波長以外の光は光制御部１ａも光透過部１ｂも透過するため再生光像を形成しないため、再生光像が虹色に視認されなくなる。よって、図３Ａ〜図３Ｃと図５Ａ〜図５Ｃの作製方法によれば、光制御部１ａと光透過部１ｂを設けることで、単一色の再生光像を視認することができる。
【００４１】
図３Ａ〜図３Ｃと図５Ａ〜図５Ｃでは、法線方向からコヒーレント光Ｌ１をフォトマスク基板７と体積ホログラム記録材料８に入射させて干渉縞５を形成する例を示したが、後述するように、法線方向に対して傾斜した方向からコヒーレント光Ｌ１を入射させて干渉縞５を形成してもよい。
【００４２】
なお、体積ホログラム記録材料８を用いる代わりに、誘電体多層膜を用いてもよい。誘電体多層膜を用いて光変調素子１を作製する場合は、例えば、基材層の上に、蒸着や気相成長法等により、誘電体多層膜を積層した後、誘電体多層膜の上に、フーリエ変換像１０に応じてパターニングされたフォトマスク基板を配置し、フォトリソグラフィによるエッチング処理にて、誘電体多層膜をパターニングすればよい。あるいは、フォトマスク基板を用いる代わりに電子線描画法などにより、基材層上に、パターニングされた誘電体多層膜を形成してもよい。この場合、誘電体多層膜のある部分が干渉縞５に相当し、光制御部１ａとなる。また、誘電体多層膜のない部分が光透過部１ｂとなる。パターニングされた誘電体多層膜を透過する特定波長の幅を表す分光透過率の半値幅は、色の識別性能を向上させ、鮮明な再生光像を得るためには１００ｎｍ以下が望ましい。さらに好ましくは、半値幅は５０ｎｍ以下が望ましい。
【００４３】
誘電体多層膜を有する光学部材２は、点光源１１から、特定波長を含む所定波長帯域の光を誘電体多層膜を一部に含む所定領域に入射した状態で、光学部材２の法線方向から所定領域を通して点光源１１を観察すると、特定波長の色の再生光像が視認され、法線方向から傾斜した方向から所定領域を通して点光源１１を観察すると、特定波長よりも短波長の色の再生光像が視認される。
【００４４】
あるいは、誘電体多層膜を有する光学部材２は、点光源１１から、特定波長を含む所定波長帯域の光を誘電体多層膜を一部に含む所定領域に入射した状態で、光学部材２の法線方向から傾斜した方向から所定領域を通して点光源１１を観察すると、特定波長の色の再生光像が視認され、傾斜した方向よりも法線方向に近い方向から所定領域を通して点光源１１を観察すると、特定波長よりも長波長の色の再生光像が視認される。
【００４５】
本実施形態による光変調素子１は、体積ホログラム記録材料８内に干渉縞５を形成する際に用いるレーザ光の入射方向や波長を制御することで、視認される再生光像の色を選択することができる。また、誘電体多層膜の層間距離や各層の屈折率を制御することで、視認される再生光像の色を選択することができる。また、観察方向を変えることによっても、視認される再生光像の色が変化する。
【００４６】
上述した図３Ａ〜図３Ｃと図５Ａ〜図５Ｃでは、体積ホログラム記録材料８の法線方向に沿って、特定波長のコヒーレント光Ｌ１を体積ホログラム記録材料８に入射して、体積ホログラム記録材料８の内部に干渉縞５を形成する例を示している。図６Ａは、図３Ａ〜図３Ｃまたは図５Ａ〜図５Ｃで作製したホログラム記録層４の再生光像を観察する方法を示す図である。図６Ａは、点光源１１からの光をホログラム記録層４の法線方向に沿って所定領域に入射させて、ホログラム記録層４に対して点光源１１とは逆の面側から、観察者１２がこの所定領域を通して点光源１１を観察するものである。所定領域とは、ホログラム記録層４内のフーリエ変換像に応じた光制御部１ａと光透過部１ｂとを含む領域であり、再生光像を視認可能な領域である。干渉縞５が形成されている領域が光制御部１ａで、干渉縞５が形成されていない領域が光透過部１ｂである。点光源１１からの光は、特定波長を含む所定波長帯域の光である。より具体的な一例として、点光源１１からの光は、特定波長の光でもよいし、白色光でもよい。観察者が所定領域を通して点光源を観察する場合、点光源１１は、コヒーレント光Ｌ１である必要はなく、ＬＥＤ光や白熱灯のような比較的広い波長成分を含む光であることが好ましい。
【００４７】
この場合、観察者１２は、図６Ｂに示すように、特定波長の色で再生光像を視認することができる。本実施形態の干渉縞５は、特定波長の光を通さずに反射し、特定波長以外の波長の光を透過する光制御部１ａである。干渉縞５が記録されていない領域は、特定波長の光も特定波長以外の波長の光も透過する光透過部１ｂである。このため、光学部材２は、特定波長の光に対してはフーリエ変換像に応じた光を反射および透過し、特定波長以外の波長の光に対しては光を透過するだけとなり、観察者１２が上述した所定領域を通して点光源１１を観察したときに、特定波長の色で再生光像を視認することができる。
【００４８】
図７Ａは、ホログラム記録層４の法線方向から傾斜した方向に沿って、観察者１２が所定領域を通して点光源１１を観察する例を示している。図７Ａに示すように、観察者１２がホログラム記録層４の法線方向から徐々に傾斜角度を大きくしながら所定領域を通して点光源１１を観察すると、視認される再生光像の色は、より短波長側にシフトしていく。
例えば、法線方向から視認される色が緑の場合、法線方向からの傾斜角度が大きくなるにつれて、再生光像の色は青みがかっていく。人間の目の視感度は、緑が最大であり、青に近づくにつれて視感度は低下していくため、観察者１２の観察方向が法線方向から傾斜するほど、図７Ｂのように再生光像を視認しにくくなる。
【００４９】
このように、ホログラム記録層４の法線方向に沿って特定波長のコヒーレント光Ｌ１を入射させて、ホログラム記録層４内に干渉縞５を形成する場合、法線方向に対して傾斜した方向から、干渉縞５の形成領域を含む所定領域を通して点光源１１を観察すると、法線方向から観察した場合に視認される、干渉縞の形成に用いた波長色よりも短波長側にシフトした色（例えば青系統の色）で視認されるために、視認性が低下するおそれがある。
【００５０】
図８はホログラム記録層４内の干渉縞５の他の作製例を示す図である。図８では、体積ホログラム記録材料８の法線方向から傾斜した方向に沿って、特定波長のコヒーレント光Ｌ１を体積ホログラム記録材料８に入射させて、体積ホログラム記録材料８の内部に干渉縞５を形成する。法線方向からコヒーレント光Ｌ１を体積ホログラム記録材料８に入射する場合と、法線方向に対して傾斜した方向からコヒーレント光Ｌ１を体積ホログラム記録材料８に入射する場合とを比較すると、入射するコヒーレント光Ｌ１の波長が同一であったとしても、後者の方が干渉縞５の法線方向のピッチが広くなる。すなわち、法線方向に対して傾斜した方向からコヒーレント光Ｌ１を体積ホログラム記録材料８に入射すると、干渉縞５の法線方向のピッチが広くなり、法線方向からの傾斜角度が大きいほど、干渉縞５の法線方向のピッチがより広くなる。
【００５１】
図９Ａは、図８の干渉縞５を形成した際のコヒーレント光Ｌ１の入射方向と同じ方向から、干渉縞５の形成領域を含む所定領域を通して点光源１１を観察する例を示している。
この場合、図９Ｂに示すように、再生光像は、干渉縞５を形成したときに使用したコヒーレント光と同じ波長の色で視認される。
【００５２】
図１０Ａは、図８の干渉縞５を形成したホログラム記録層４の法線方向から、干渉縞５の形成領域を含む所定領域を通して点光源１１を観察する例を示している。この場合、図１０Ｂに示すように、再生光像の色は、所定波長よりも長波長側の色にシフトする。例えば、干渉縞５を形成したときに使用したコヒーレント光の波長の色が緑の場合、法線方向に沿って所定領域を通して点光源１１を観察すると、赤みがかった色例えばオレンジ色に視認される。赤みがかった色は、青系統の色よりも視感度が高いため、青系統の色で視認されるよりも、視認性がよくなる。
【００５３】
このように、体積ホログラム記録材料８内に干渉縞５を形成する際、例えば緑色の所定波長のコヒーレント光Ｌ１を法線方向に沿って入射するのではなく、法線方向に対して傾斜した方向に沿って入射することで、再生光像を視認可能な角度範囲を広げることができる。
【００５４】
上記では、ホログラム記録層４内に形成された干渉縞５の再生光像を観察する際に、ホログラム記録層４の点光源１１を配置する面側とは反対の面側からホログラム記録層４を観察する例を説明したが、観察者１２と同じ面側に点光源１１を配置してもよい。
【００５５】
図１１Ａおよび図１１Ｂは観察者１２と同じ面側に点光源１１を配置して再生光像を観察する例を示す図である。図１１Ａおよび図１１Ｂの例では、点光源１１としてＬＥＤを用いている。点光源１１による照明光をホログラム記録層４に入射させ、点光源１１のホログラム記録層４による正反射方向から、点光源１１のホログラム記録層４による反射像を観察すると、点光源１１のホログラム記録層に対する面対称の位置１１ａに再生光像を視認することができる。
【００５６】
図１２は、点光源１１として、コヒーレント光Ｌ３を出射するレーザポインタ１１ｂを用いた例を示している。体積ホログラム記録材料８内に干渉縞５を形成する際、法線方向に沿ってコヒーレント光Ｌ１を体積ホログラム記録材料８に入射させて干渉縞５を形成した場合には、同様にレーザポインタ１１ｂからホログラム記録層４の法線方向に沿ってコヒーレント光Ｌ１をホログラム記録層４に入射することで、ホログラム記録層４の反対の面側に所定波長の色で再生画像２４を所定の投影面１４に投影することができる。観察者１２は、ホログラム記録層４内の光制御部１ａと光透過部１ｂからなる所定領域を通すことなく、投影面を観察することで、再生画像２４を視認できる。
【００５７】
上述した実施形態では、ホログラム記録層４内に特定波長の光を反射させる干渉縞５を形成する例を示したが、干渉縞５を形成する代わりに、基材層の上に特定波長の光を吸収する特定波長吸収色素を含む特定波長吸収層を形成してもよい。例えば、光学部材２を通して点光源を観察したときに緑色の光像を視認させたい場合は、特定波長である緑色の波長成分を吸収する特定波長吸収色素を含む特定波長吸収層を基材層の上にフーリエ変換像に応じて形成し、再生光像を観察可能な所定領域とすればよい。この場合、特定波長吸収色素のある部分が光制御部１ａとなる。また、特定波長吸収色素のない部分が光透過部１ｂとなる。
【００５８】
基材層の上にフーリエ変換像に応じて特定波長吸収色素を形成するには、例えばグラビア印刷やオフセット印刷、スクリーン印刷などの印刷技術を用いて、特定波長吸収色素を含むインキを基材層の上に形成する手法などが考えられる。特定波長吸収色素の具体的材料としては、カラーフィルタなどに用いられるテトラアザポルフィリン、シアニン系色素、アゾメチン系色素、ローダミン系色素などを用いることができる。基材層としては、透過率が高く、ヘイズ値の低い、ポリエチレンテレフタレート、ポリカーボネート、アクリル樹脂、シクロオレフィン樹脂、ポリエステル樹脂、ポリスチレン樹脂、アクリルスチレン樹脂等の樹脂フィルム、石英ガラスなどが用いられる。
【００５９】
基材層の上に形成する特定波長吸収色素が透過する特定波長の幅を表す分光透過率の半値幅は、色の識別性能を向上させ、鮮明な再生光像を得るためには１００ｎｍ以下が望ましい。さらに好ましくは、半値幅は５０ｎｍ以下が望ましい。
【００６０】
図１３は光制御部１ａの分光透過率分布を示すグラフである。図１３の横軸は波長（ｎｍ）、縦軸は透過率（％）である。図１３の光制御部１ａは、干渉縞５、誘電体多層膜、または特定波長吸収色素などである。上述した半値幅（半値全幅）ｃは、透過率が最小となる波長において、光制御部１ａが形成されていないときに想定される光学部材２の透過率（％）をｂ、透過率が最小となる波長における光学部材２の透過率（％）をａとしたときに、透過率が（ｂ＋ａ）／２となる、透過率が最小となる波長に最も近い前後の波長の差として定義される。
【００６１】
上述したように、本実施形態による光変調素子１は、体積ホログラム記録材料８内に干渉縞５を形成する際に用いるレーザ光の入射方向や波長を制御することで、視認される再生光像の色を選択することができる。よって、干渉縞５を形成する際に波長の異なる２種類以上のレーザ光を用いることで、２種類以上の色の再生光像が視認可能となる。
【００６２】
図１４は、互いに異なる２つの色を含む再生光像の一例を示している。図１４の濃淡の異なる「Ｆ」の文字は、実際には異なる色を表している。より具体的には、例えば赤の「Ｆ」３１と緑の「Ｆ」３２が対角状に配置されている。図１４の再生光像を再生可能な光変調素子１は、図２と図３Ａ〜図３Ｃに示した手順で作製できる。より具体的には、赤の「Ｆ」用のフォトマスク基板７を使用して赤色の再生光像が得られる体積ホログラムと、緑の「Ｆ」用のフォトマスク基板７を使用して緑色の再生光像が得られる体積ホログラムとを作製し、これら２つの体積ホログラムを積層したホログラム記録層４に、赤と緑の波長成分を含むレーザ光を照射することで、赤と緑の再生光像を得ることができる。あるいは、一つのフォトマスク基板７を所定の向きに配置した状態で、赤の波長成分を含むレーザ光を照射してホログラム記録材料８内に干渉縞を形成した後、このフォトマスク基板７の配置方向をずらした状態で、緑の波長成分を含むレーザ光を照射してホログラム記録材料８内に別の干渉縞を形成してもよい。
【００６３】
このように、図１４の再生光像を得るための光変調素子１内の光制御部１ａは、点光源から、２つの波長を含む所定波長帯域の光をホログラム記録層４内の干渉縞を一部に含む所定領域に入射した状態で、光学部材２の法線方向から所定領域を通して点光源を観察したときに、互いに異なる２色の再生光像が視認されるものである。
【００６４】
図１５Ａは、それぞれ異なる波長の３つ以上のレーザ光を用いて作製した光変調素子１の再生光像の第１例を示している。図１５Ａの再生光像は白色の「Ｆ」３３を表している。この再生光像は、作製時に使用した３つ以上のレーザ光のすべての波長成分を含む再生照明光を光変調素子１に照射させたときに、光変調素子１内に形成された３つ以上の干渉縞のそれぞれで回折された光が互いに混ざり合って、結果的に白色で観察されることになる。３つ以上の干渉縞を形成する際に用いる３つ以上のレーザ光の波長を調整することで、再生光像の合成色を白色以外にすることも可能である。
【００６５】
図１５Ａの再生光像を得るための光変調素子１は、例えば３つ以上の波長成分のそれぞれに対応した３つ以上のフォトマスク基板７を用意し、それぞれの波長ごとにフォトマスク基板７を変えながら体積ホログラム記録媒体８内に３つ以上の干渉縞を形成すればよい。あるいは、３つ以上の波長成分のそれぞれに対応する複数のフォトマスク基板７を使用して複数の色の再生光像が得られる複数の体積ホログラムをそれぞれ作製し、これら体積ホログラムを積層してもよい。積層されたホログラム記録層４に対して、記録時に使用した波長と同じ波長のレーザ光を同時に照射することで、白色の再生光像が得られる。図１５Ａのように、白色の再生光像を得るのに用いるレーザ光の波長域は、赤、緑、青の波長域の３つ以上のレーザ光でもよいし、それ以外の色の波長域の３つ以上のレーザ光を用いてもよい。
【００６６】
このように、図１５Ａの再生光像を得るための光変調素子１内の光制御部１ａは、点光源から、３つ以上の波長を含む所定波長帯域の光をホログラム記録層４内の干渉縞を一部に含む所定領域に入射した状態で、光学部材２の法線方向から所定領域を通して点光源を観察したときに、白色の再生光像が視認されるものである。
【００６７】
図１５Ｂは、それぞれ異なる波長の３つ以上のレーザ光を用いて作製した光変調素子１の再生光像の第２例を示している。図１５Ｂの再生光像は、３つ以上の色で色分けされている。図１５Ｂの濃淡の異なる領域は、それぞれ色が異なっていることを示している。
【００６８】
図１５Ｂの光変調素子１は、３色に対応する３つのフォトマスク基板７を使用して複数色の再生光像が得られる３つの体積ホログラムをそれぞれ作製し、これら体積ホログラムを積層したものである。図１５Ｂの光変調素子１に対して、各色の波長成分を含む３つ以上のレーザ光を照射することで、１色以上で照明される複数の再生光像が得られる。あるいは、図１５Ｂの光変調素子１は、一つのフォトマスク基板７の配置場所をずらしながら、各配置場所ごとに異なる波長のレーザ光を照射して、体積ホログラム記録媒体８内に干渉縞を形成してもよい。
【００６９】
このように、図１５Ｂの再生光像を得るための光変調素子１内の光制御部１ａは、点光源から、３つ以上の波長を含む所定波長帯域の光をホログラム記録層４内の干渉縞を一部に含む所定領域に入射した状態で、光学部材２の法線方向から所定領域を通して点光源を観察したときに、３つ以上の色で色分けされた再生光像が視認されるものである。
【００７０】
本実施形態による光変調素子１は、二次元または三次元の再生光像を浮かび上がらせる既存の光変調素子と組み合わせることも可能である。この場合、例えば、本実施形態の干渉縞５が記録されたホログラム記録層４と、二次元または三次元の再生光像（リップマンホログラム再生像とも呼ばれる）を浮かび上がらせる既存のホログラム記録層とを積層してもよいし、二次元または三次元の再生光像を浮かび上がらせる既存のホログラム記録層内の干渉縞を、本実施形態によるホログラム記録層４内に干渉縞５とは別個にまたは同時に形成してもよい。
【００７１】
例えば、本実施形態による光変調素子１は、図２と図３Ａ〜図３Ｃ（または図５Ａ〜図５Ｃ）の手順で作製されたホログラム記録層４だけでなく、リップマンホログラム再生像を再生するための干渉縞を備えていてもよい。リップマンホログラム再生像を再生するための干渉縞は、フーリエ変換像等の再生基準像に応じた再生光像を再生する干渉縞が形成されたホログラム記録層４に重ねて形成されてもよいし、ホログラム記録層４とは別の記録材料層に形成されてもよい。
【００７２】
図１６Ａ及び図１６Ｂはこの種の光変調素子１の再生方法を説明する図である。再生基準像に応じた再生光像３４を再生するための再生照明光は、リップマンホログラム再生像３５を再生するための再生照明光とは異なっている。より具体的には、再生基準像に応じた再生光像３４を再生するための再生照明光は、図１６Ａに示すように、光変調素子１の一主面から離隔して配置された点光源１１ａからの光である。観察者は、点光源１１ａを点灯させた状態で、光変調素子１の一主面とは反対側の面側から再生光像３４を観察する。一方、リップマンホログラム再生像３５を再生するための再生照明光は、図１６Ｂに示すように、例えば、光変調素子１の一主面から離隔した位置に配置された別の点光源１１ｂから、一主面の法線方向に対して傾斜した方向に照射される。観察者は、一主面の法線方向からリップマンホログラム再生像３５を観察する。リップマンホログラム再生像３５は、点光源１１ｂだけでなく、蛍光灯などの他の照明光源でも視認可能である。
【００７３】
リップマンホログラム再生像３５は、一主面の法線方向に対して傾斜した方向に照射される光で照明して法線方向から観察する、すなわち、光源の方向とは外れた方向から観察者は観察するのに対し、再生基準像に応じた再生光像３４は、点光源の方向から観察することができる。よって、リップマンホログラム再生像３５と再生基準像に応じた再生光像３４とが混ざり合って観察されるおそれがなく、双方の再生像を明確に区別して観察できる。リップマンホログラム再生像３５を再生するための再生照明光は、上述したように点光源１１ｂでも他の照明光源でもよいのに対して、再生基準像に応じた再生光像３４を再生するには、例えば、図１６Ａのように光変調素子１を挟んで観察者とは反対側に点光源１１ａを配置する必要がある。あるいは、図１１Ａや図１１Ｂのように、点光源１１ａと同じ側から観察者が観察する場合にも再生光像３４を再生できるが、この場合は、点光源１１ａからの光の正反射方向から観察者が観察する必要がある。このように、再生基準像に応じた再生光像３４を再生するには、点光源１１ａの位置と観察者の観察方向が所定の条件を満たさなければならないため、偽造防止等のセキュリティ用途に用いるのに適している。
【００７４】
リップマンホログラム再生像３５を再生するための原版は、例えば既存の２ステップ法（Ｈ１Ｈ２法とも呼ばれる）にて作製される。例えば、図５Ａ〜図５Ｃの製法において、Ｈ１Ｈ２法で作製された原版をフォトマスク基板と積層し、所定の方向から所定の波長のレーザ光を照射することで、体積ホログラムを形成することができる。あるいは、Ｈ１Ｈ２法で作製された原版を用いて体積ホログラム記録媒体８内に干渉縞を形成し、形成された体積ホログラム記録媒体８を用いて図３Ａ〜図３Ｃ、または図５Ａ〜図５Ｃの手順で、最終的なホログラム記録層４を形成してもよい。
【００７５】
干渉縞を形成する際のレーザ光の波長により、リップマンホログラム再生像３５の色を制御できる。リップマンホログラム再生像３５を再生する際に照射する再生照明光は、干渉縞を形成する際に用いた参照光の波長成分を含んでいる必要がある。
【００７６】
このように、再生基準像に応じた再生光像３４に対応する干渉縞を形成する際に用いるレーザ光の波長と、リップマンホログラム再生像３５に対応する干渉縞を形成する際に用いるレーザ光の波長とを調整することで、再生基準像に応じた再生光像３４とリップマンホログラム再生像３５とを同じ色にしたり、互いに異なる色にすることができる。色の種類についても、任意に調整可能である。
【００７７】
本実施形態による光変調素子１は、情報記録媒体に組み込むことができる。図１７は情報記録媒体２０の一例を示す図である。図１７の情報記録媒体２０は、紙幣、ＩＤ証、パスポート、金券、チケット、公的文書などの個人情報や機密情報などの各種の情報を記録した媒体や金銭的価値のある媒体である。ＩＤ証は、国民ＩＤ証、免許証、会員証、社員証、学生証などである。図１７の媒体の基材は、紙、樹脂、金属、合成繊維などである。
図１７の基材には、開口部２１が設けられ、開口部２１の少なくとも一部には、例えば文字、記号、絵柄などのセキュリティ情報をフーリエ変換像として記録した透明部材２２が設けられている。開口部２１の全域を透明部材２２で覆っていてもよいし、開口部２１の一部のみに透明部材２２を配置してもよい。この透明部材２２は、本実施形態による光変調素子１に相当するものである。例えば、図１７の情報記録媒体２０の裏面側に点光源を配置し、観察者がおもて面側から透明部材２２を通して点光源を観察することで、透明部材２２に記録されたセキュリティ情報を視認することができる。このセキュリティ情報は、例えば、情報記録媒体２０の真贋判定などに利用できる。
【００７８】
図１８Ａは図１７の情報記録媒体２０のＡ−Ａ線断面構造の第１例を示す図である。図１８Ａに示す情報記録媒体２０では、透明樹脂層３１の上に不透明樹脂層３２が配置されている。不透明樹脂層３２には、開口部２１に重なる領域に開口部３３が設けられている。この開口部３３の上には、上述した光変調素子１が配置され、その上に透明樹脂層３４が配置されている。これにより、開口部２１に点光源からの光を照明することで、光変調素子１内に形成されたフーリエ変換像に応じた再生画像を視認することができる。なお、開口部３３は、不透明樹脂層３２に孔を開けることで形成してもよいし、不透明樹脂層３２に孔を開けた後、孔とほぼ同じ形状の透明樹脂層を孔にはめて形成してもよい。また、図１８Ａでは透明樹脂層３４と不透明樹脂層３２の間に隙間があるように図示されているが、情報記録媒体２０として使用する際には、熱および圧力をかけて透明樹脂層３４と不透明樹脂層３２を融着させたり、透明樹脂層３４と不透明樹脂層３２を不図示の接着剤を介して接着させたりして用いる。
【００７９】
図１８Ｂは図１７の情報記録媒体２０のＡ−Ａ線断面構造の第２例を示す図である。図１８Ｂに示す情報記録媒体２０は、透明樹脂層３４の裏面側に印刷層３５を配置した点で図１８Ａと異なっている。この印刷層３５は、開口部２１と重なる領域を避けて透明樹脂層３４の裏面に配置されている。つまり、印刷層３５を配置しなかった部分に重なる場所に開口部２１が設けられている。なお、印刷層３５は、透明樹脂層３４の裏面側ではなく、上面側に設けてもよい。図１８Ｂにおいても、透明樹脂層３４と不透明樹脂層３２は、熱及び圧力をかけて融着してもよいし、不図示の接着剤を介して接着してもよい。
【００８０】
図１８Ｃは図１７の情報記録媒体２０のＡ−Ａ線断面構造の第３例を示す図である。図１８Ｃに示す情報記録媒体２０では、透明樹脂層３１の上に不透明樹脂層３２が配置され、その上に透明樹脂層３４が配置されている。透明樹脂層３４の上には、開口部２１の位置に合わせて、光変調素子１が配置されている。不透明樹脂層３２には、開口部２１に重なる領域に開口部３３が設けられている。
【００８１】
図１８Ｄは図１７の情報記録媒体２０のＡ−Ａ線断面構造の第４例を示す図である。図１８Ｄに示す情報記録媒体２０では、透明樹脂層３１の上に、開口部２１と重なる領域を避けて印刷層３６が配置されている。この印刷層３６の上には透明樹脂層３４が配置され、その上には、開口部２１と重なる領域を避けて印刷層３７が配置されている。この印刷層３７の上には透明樹脂層３８が配置され、その上には、開口部２１の位置に合わせて光変調素子１が配置されている。つまり、印刷層３６、３７を配置しなかった部分に重なる場所に開口部２１が設けられている。図１８Ｄにおいても、透明樹脂層３１、３４、３８は、熱および圧力をかけて融着してもよいし、不図示の接着剤を介して接着してもよい。
【００８２】
図１９は情報記録媒体２０の他の一例を示す図である。図１９の情報記録媒体２０は紙幣である。図１９の紙幣には開口部２１が設けられている。この開口部２１の少なくとも一部には、例えば文字、記号、絵柄などのセキュリティ情報をフーリエ変換像として記録した透明部材２２が設けられている。
【００８３】
図２０Ａは図１９のＡ−Ａ線断面構造の第１例を示す図である。透明樹脂層４１の裏面側には、開口部２１と重なる領域を避けて印刷層４２が配置されている。透明樹脂層４１の上面側には、開口部２１と重なる領域に光変調素子１が配置されている。この光変調素子１の上には、透明樹脂層４３が配置されている。透明樹脂層４３の上には、開口部２１と重なる領域を避けて印刷層４４が配置されている。つまり、印刷層４２、４４を配置しなかった部分に重なる場所に開口部２１が設けられている。図２０Ａにおいても、透明樹脂層４１、４３は、熱および圧力をかけて融着してもよいし、不図示の接着剤を介して接着してもよい。
【００８４】
図２０Ｂは図１９のＡ−Ａ線断面構造の第２例を示す図である。透明樹脂層４１の裏面側と上面側には、開口部２１と重なる領域を避けて印刷層４２，４４が配置されている。
透明樹脂層４１の上面側の開口部と重なる領域には、光変調素子１が配置されている。つまり、印刷層４２、４４を配置しなかった部分に重なる場所に開口部２１が設けられている。
【００８５】
本実施形態による光変調素子１は、容易に入手可能なＬＥＤライトなどの小型の点光源１１だけで目視で真贋判定できる。また、本実施形態による光変調素子１は、従来の虹色とは異なり、特定波長の色の再生光像を確認することで真贋判定できるという特徴を持っている。さらに、本実施形態による光変調素子１は、点光源１１の光変調素子１への入射方向を変えることで、再生光像の色が変化するという特徴をもっており、より真贋判定を確実に行うことができる。また、本実施形態による光変調素子１は、光学部材２の分光透過率の半値幅が１００ｎｍ以下、さらに好ましくは５０ｎｍ以下と狭いため、再生光像が鮮明で目視しやすく、容易に真贋判定可能であるという特徴をもっている。また、本実施形態による光変調素子１は、透過率が高いため、情報記録媒体２０の開口部２１を通して、その先の情景を観察しやすくなる。
【００８６】
このように、本実施形態は、原画像のフーリエ変換像１０に応じた光制御部１ａと光透過部１ｂを有する光学部材２を備えており、光制御部１ａは、特定波長の光を反射または吸収させて特定波長以外の光を透過させるため、点光源１１を利用して、光学部材２内の光制御部１ａと光透過部１ｂとを含む所定領域を観察したときの再生光像の色が単色となり、再生光像を視認しやすくなる。すなわち、本実施形態による光変調素子１は、再生光像の波長分散が少ないため、再生光像の輪郭が明瞭になり、鮮明な再生光像を視認できる。
【００８７】
また、本実施形態では、光学部材２を構成するホログラム記録層４内に干渉縞５を形成する際に使用するコヒーレント光Ｌ１の入射方向や波長を調整することにより、再生光像の色を制御できるとともに、再生光像を明瞭に視認できる角度範囲を制御できる。
【００８８】
さらに、本実施形態では、光学部材２を通して点光源を観察する角度を変化させることで、それぞれ異なる色で再生光像を視認することもできる。
【００８９】
また、本実施形態では、再生光像を観察する際に、光学部材２に対して観察者１２とは反対の面側に点光源１１を配置してもよいし、観察者１２と同じ面側に点光源１１を配置してもよく、点光源１１の配置場所についての自由度が広がる。
【００９０】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【図１】
2018097238.tif 000003
【図２】
2018097238.tif 000004
【図３Ａ】
2018097238.tif 000005
【図３Ｂ】
2018097238.tif 000006
【図３Ｃ】
2018097238.tif 000007
【図４】
2018097238.tif 000008
【図５Ａ】
2018097238.tif 000009
【図５Ｂ】
2018097238.tif 000010
【図５Ｃ】
2018097238.tif 000011
【図６Ａ】
2018097238.tif 000012
【図６Ｂ】
2018097238.tif 000013
【図７Ａ】
2018097238.tif 000014
【図７Ｂ】
2018097238.tif 000015
【図８】
2018097238.tif 000016
【図９Ａ】
2018097238.tif 000017
【図９Ｂ】
2018097238.tif 000018
【図１０Ａ】
2018097238.tif 000019
【図１０Ｂ】
2018097238.tif 000020
【図１１Ａ】
2018097238.tif 000021
【図１１Ｂ】
2018097238.tif 000022
【図１２】
2018097238.tif 000023
【図１３】
2018097238.tif 000024
【図１４】
2018097238.tif 000025
【図１５Ａ】
2018097238.tif 000026
【図１５Ｂ】
2018097238.tif 000027
【図１６Ａ】
2018097238.tif 000028
【図１６Ｂ】
2018097238.tif 000029
【図１７】
2018097238.tif 000030
【図１８Ａ】
2018097238.tif 000031
【図１８Ｂ】
2018097238.tif 000032
【図１８Ｃ】
2018097238.tif 000033
【図１８Ｄ】
2018097238.tif 000034
【図１９】
2018097238.tif 000035
【図２０Ａ】
2018097238.tif 000036
【図２０Ｂ】
2018097238.tif 000037
【国際調査報告】
2018097238.tif 000038
2018097238.tif 000039
2018097238.tif 000040
2018097238.tif 000041